(57)【要約】【課題】例えばユーザが置き忘れてしまったような場合などに、メールを用いた有用な機能を有する無線端末装置を提供する。【解決手段】無線によりメールを通信する機能を有する無線端末装置３において、メール通信手段が無線によりメールを通信し、設定記憶手段が送信元のメールアドレスを含む受信メールに関する条件と動作とを対応付けて記憶し、判定手段がメール通信手段により受信されたメールについて設定記憶手段に記憶された条件に適合するか否かを判定し、動作実行手段が判定手段により設定記憶手段に記憶された条件に適合すると判定された場合に設定記憶手段において当該条件に対応付けられた動作を実行する。【選択図】  図１
2011077962.tif 000002
【特許請求の範囲】
【請求項１】
無線によりメールを通信する機能を有する無線端末装置において、
無線によりメールを通信するメール通信手段と、
送信元のメールアドレスを含む受信メールに関する条件と動作とを対応付けて記憶する設定記憶手段と、
前記メール通信手段により受信されたメールについて、前記設定記憶手段に記憶された条件に適合するか否かを判定する判定手段と、
前記判定手段により前記設定記憶手段に記憶された条件に適合すると判定された場合に、前記設定記憶手段において当該条件に対応付けられた動作を実行する動作実行手段と、
を備えたことを特徴とする無線端末装置。
【発明の詳細な説明】
【技術分野】
【０００１】
本発明は、メールを通信することが可能な無線端末装置に関し、特に、例えばユーザが置き忘れてしまったような場合などに、メールを用いた有用な機能を有する無線端末装置に関する。
【背景技術】
【０００２】
例えば、パーソナルコンピュータ（ＰＣ）、携帯電話端末装置、携帯情報通信端末装置であるＰＤＡ（Ｐｅｒｓｏｎａｌ  Ｄｉｇｉｔａｌ  Ａｓｓｉｓｔａｎｔ）などでは、メール（例えば、電子メール）を送受信する機能が備えられている。
特に、業務用や個人用の携帯型の無線端末装置では、ユーザ（人）による持ち運びが便利であり、通信可能な領域において、いつでもどこでもメールを送受信することが可能である。
【先行技術文献】
【特許文献】
【０００３】
【特許文献１】特開２００３−２６３３９３号公報
【発明の概要】
【発明が解決しようとする課題】
【０００４】
しかしながら、携帯型の無線端末装置は便利であるものの、ユーザがどこかに置き忘れてしまうようなこともあり、このような場合に有用な機能が望まれている。
本発明は、このような従来の事情に鑑み為されたもので、例えばユーザが置き忘れてしまったような場合などに、メールを用いた有用な機能を有する無線端末装置を提供することを目的とする。
【課題を解決するための手段】
【０００５】
上記目的を達成するため、本発明では、無線によりメールを通信する機能を有する無線端末装置において、次のような構成とした。
すなわち、メール通信手段が、無線によりメールを通信する。設定記憶手段が、送信元のメールアドレスを含む受信メールに関する条件と動作とを対応付けて記憶する。判定手段が、前記メール通信手段により受信されたメールについて、前記設定記憶手段に記憶された条件に適合するか否かを判定する。動作実行手段が、前記判定手段により前記設定記憶手段に記憶された条件に適合すると判定された場合に、前記設定記憶手段において当該条件に対応付けられた動作を実行する。
【０００６】
従って、無線端末装置に対して、他の所定の通信装置（例えば、無線端末装置やＰＣなど）を使用して所定のメールを送信することで、遠隔からの制御により、所定の動作を実行させることができるため、例えば、ユーザが置き忘れてしまったような場合などに、メールを用いた有用な機能を発揮させることができる。
【０００７】
ここで、送信元のメールアドレスを含む受信メールに関する条件としては、種々なものが用いられてもよく、例えば、１つ以上の送信元のメールアドレスや、タイトル文の内容や、本文の内容などを用いることができる。
また、動作としては、種々なものが用いられてもよく、例えば、未読メールの返信や、ダイヤルロック機能の設定や、パワーのオフなどを用いることができる。
【発明の効果】
【０００８】
以上説明したように、本発明によると、例えばユーザが置き忘れてしまったような場合などに、メールを用いた有用な機能を有する無線端末装置を実現することができる。
【図面の簡単な説明】
【０００９】
【図１】本発明の一実施例に係る通信システムの構成例を示す図である。
【図２】（ａ）〜（ｃ）は本発明の一実施例に係る無線端末装置における設定例を示す図である。
【図３】本発明の一実施例に係る無線端末装置において行われる処理の流れの一例を示すフローチャート図である。
【図４】本発明の一実施例に係る無線端末装置における機能設定画面の例を示す図である。
【発明を実施するための形態】
【００１０】
本発明に係る実施例を図面を参照して説明する。
図１には、本発明の一実施例に係る通信システムの構成例として、ＰＣ１と、複数（本例では、２個）の無線端末装置（無線通信端末装置）２、３を示してある。
ここで、無線端末装置（Ｙ）３には本実施例で示す本例に特徴的な構成（メール自動動作の構成）を適用してあるが、無線端末装置（Ｘ）２としては従来と同様なものが用いられてもよい。
また、本例では、業務用の無線端末装置２、３に適用した場合を例とする。
また、無線端末装置２、３は、無線によりメールを通信（送信や受信）する機能を有している。
【００１１】
また、ＰＣ１としては、従来と同様なものを用いることができる。
また、本例では、メールとして電子メールを用いており、ＰＣ１のメールアドレスが“ａａａ＠ｂｂ．ｃｏ．ｊｐ”であるとし、無線端末装置２のメールアドレスが“ａｂｃ＠ｄｅｆ．ｎｅ．ｊｐ”であるとする。
また、図１では、無線端末装置３について、設定例１、２、３の３つの状態を概念的に示してある。
【００１２】
図２（ａ）〜（ｃ）には無線端末装置３におけるメール自動動作の設定例を示してあり、（ａ）には（設定例１）の内容を示してあり、（ｂ）には（設定例２）の内容を示してあり、（ｃ）には（設定例３）の内容を示してある。この設定内容は、無線端末装置３が有する内部のメモリに記憶される。なお、この設定内容としては、本例に限られず、任意の内容が設定されてもよい。
【００１３】
（設定例１）について説明する。
図２（ａ）に示されるように、無線端末装置３の設定例１では、メール自動動作に関して、送信元メールアドレスとして無線端末装置２のメールアドレス“ａｂｃ＠ｄｅｆ．ｎｅ．ｊｐ”及びＰＣ１のメールアドレス“ａａａ＠ｂｂ．ｃｏ．ｊｐ”が設定されており、タイトル文として“ｋｋｋ”が設定されており、本文として“ａｂｂｃｃｃ”が設定されており、動作設定として“未読メール返信”が設定されている。
【００１４】
この設定状態において、無線端末装置３では、設定された送信元メールアドレス“ａｂｃ＠ｄｅｆ．ｎｅ．ｊｐ”を使用して無線端末装置２からメールａ１を受信した場合、又は、設定された送信元メールアドレス“ａａａ＠ｂｂ．ｃｏ．ｊｐ”を使用してＰＣ１からメールａ２を受信した場合であって、且つ、受信したメールａ１、ａ２のタイトル文が設定されたタイトル文“ｋｋｋ”と一致し、受信したメールａ１、ａ２の本文が設定された本文“ａｂｂｃｃｃ”と一致することを判定したときには、設定された動作設定“未読メール返信”に従って、メモリに保存されている未読メールａ３を送信元のメールアドレス（無線端末装置２又はＰＣ１）に対して自動的に送信（返信）する。このとき、無線端末装置３では、未読メールが無い場合には、返信する未読メールが無いことを通知するメールを送信元のメールアドレス（無線端末装置２又はＰＣ１）に対して自動的に送信（返信）する。
【００１５】
（設定例２）について説明する。
図２（ｂ）に示されるように、無線端末装置３の設定例２では、メール自動動作に関して、送信元メールアドレスとして無線端末装置２のメールアドレス“ａｂｃ＠ｄｅｆ．ｎｅ．ｊｐ”及びＰＣ１のメールアドレス“ａａａ＠ｂｂ．ｃｏ．ｊｐ”が設定されており、タイトル文として“ｋｋｋ”が設定されており、本文として“ａｂｂｃｃｃ”が設定されており、動作設定として“ダイヤルロック”が設定されている。
【００１６】
この設定状態において、無線端末装置３では、上記した（設定例１）で説明したのと同様に、設定内容に一致するメールａ１、ａ２を受信したことを判定した場合には、設定された動作設定“ダイヤルロック”に従って、ダイヤルロック機能（キー押下を無効にする機能）を自動的に設定する。そして、無線端末装置３では、ダイヤルロック機能の設定後、その設定終了の旨を通知するメールａ４を送信元のメールアドレス（無線端末装置２又はＰＣ１）に対して自動的に送信（返信）する。
【００１７】
（設定例３）について説明する。
図２（ｃ）に示されるように、無線端末装置３の設定例３では、メール自動動作に関して、送信元メールアドレスとして無線端末装置２のメールアドレス“ａｂｃ＠ｄｅｆ．ｎｅ．ｊｐ”及びＰＣ１のメールアドレス“ａａａ＠ｂｂ．ｃｏ．ｊｐ”が設定されており、タイトル文として“ｋｋｋ”が設定されており、本文として“ａｂｂｃｃｃ”が設定されており、動作設定として“パワーオフ”が設定されている。
【００１８】
この設定状態において、無線端末装置３では、上記した（設定例１）で説明したのと同様に、設定内容に一致するメールａ１、ａ２を受信したことを判定した場合には、設定された動作設定“パワーオフ”に従って、自動的に、自装置の電源をオフにする。
【００１９】
次に、図３を参照して、本例の無線端末装置３において行われる処理の手順の一例を示す。
無線端末装置３では、待ち受け等においてメール受信（着信）を待ち（ステップＳ１）、メールを受信した場合には、メール自動動作が設定されているか否かを判定する（ステップＳ２）。この結果、メール自動動作が設定されていることを判定すると、無線端末装置３では、メール自動動作の設定内容（送信元メールアドレス、タイトル文、本文）と受信メールの内容とを比較して、一致するか否かを判定する（ステップＳ３、Ｓ４、Ｓ５）。具体例として、無線端末装置３では、送信元メールアドレスの一致を判定し（ステップＳ３）、タイトル文の一致を判定し（ステップＳ４）、本文の一致を判定する（ステップＳ５）。
【００２０】
無線端末装置３では、メール自動動作の設定内容と受信メールの内容とが一致することを判定すると、設定された動作が発動する（ステップＳ６）。
（設定例１）として、動作設定が“未読メール返信”に設定されている場合には（ステップＳ７）、無線端末装置３では、自装置において未読メールを検索して（ステップＳ８）、未読メールがあるときには、その未読メールを送信元へ返信する一方（ステップＳ９）、未読メールが無いときには、未読メールが当該無線端末装置３に存在しない旨を通知するメールを送信元へ返信する（ステップＳ１０）。
【００２１】
（設定例２）として、動作設定が“ダイヤルロック”に設定されている場合には（ステップＳ１１）、無線端末装置３では、自装置のダイヤルロック機能をオン（ＯＮ）に設定して（ステップＳ１２）、ダイヤルロック機能をオンにした旨を通知するメールを送信元へ返信する（ステップＳ１３）。
【００２２】
（設定例３）として、動作設定が“パワーオフ”に設定されている場合には（ステップＳ１４）、無線端末装置３では、自装置の電源をオフ（ＯＦＦ）にする（ステップＳ１５）。
なお、ステップＳ１においてメールの着信が無いことを判定した場合や、ステップＳ２においてメール自動動作が設定されていないことを判定した場合や、ステップＳ３、Ｓ４、Ｓ５において送信元やタイトル文や本文が一致しないことを判定した場合には、無線端末装置３では、待ち受け等の状態へ戻る。
【００２３】
次に、本例の無線端末装置３におけるメール自動動作の設定画面（機能設定画面）について説明する。
図４には、本例の無線端末装置３における機能設定画面の例を示してある。
本例では、機能設定画面が、メール自動動作に関して、送信元メールアドレス等や各種の動作設定（例えば、未読メール返信、ダイヤルロック、パワーオフ）について詳細設定を行うための処理画面となっている。
なお、設定に関して、項目の選択や文字・数字等の入力などの各種の処理は、例えば、ユーザが無線端末装置３の操作部を操作することで行われる。
【００２４】
具体的には、操作によりメール自動動作画面１０１が表示された状態で、“設定”項目が選択されるとメール自動動作設定画面１０２が表示される状態へ移る。
ここで、本例では、メール自動動作画面１０１からメール自動動作設定画面１０２へ移るためには、正しい暗証番号（無線端末装置３のメモリに登録（記憶）された暗証番号）の入力が必要な構成となっている。
【００２５】
メール自動動作設定画面１０２は、メール自動動作を発動させるための条件（本例では、送信元メールアドレス、タイトル文、本文）や、該当するメールの受信後における動作設定の内容を設定するための画面となっている。
メール自動動作設定画面１０２において、“送信元”項目が選択されると、送信元アドレス設定画面１０３が表示される状態へ移る。送信元アドレス設定画面１０３では、送信元のメールアドレスを入力することができる。ここで、“送信元”項目を複数設けることができ、例えば、送信元１、送信元２、送信元３、・・・といったように送信元項目を追加することができる。
【００２６】
メール自動動作設定画面１０２において、“タイトル”項目が選択されると、タイトル設定画面１０４が表示される状態へ移る。タイトル設定画面１０４では、タイトル文を入力することができる。
メール自動動作設定画面１０２において、“本文”項目が選択されると、本文設定画面１０５が表示される状態へ移る。本文設定画面１０５では、本文を入力することができる。
【００２７】
メール自動動作設定画面１０２において、“動作”項目が選択されると、動作設定画面１０６が表示される状態へ移る。動作設定画面１０６では、該当するメールの受信後における自動動作の内容を設定することができる。本例では、未読メール返信、ダイヤルロック、パワーオフといった設定項目を選択することができ、更に、未読メール返信とダイヤルロックとの組み合わせ（メール＋ダイヤルロック）や、ダイヤルロックとパワーオフとの組み合わせ（ロック＋パワーオフ）のように、複数の動作の組み合わせの設定項目を選択することも可能である。
【００２８】
また、このように設定されたメール自動動作の設定を解除する場合には、メール自動動作画面１０１が表示された状態で、“解除”項目が選択されると、設定内容が解除される。
なお、本例では、メール自動動作の設定を解除する場合には、例えば、正しい暗証番号の入力が必要な構成とすることができる。
また、メール自動動作設定画面１０２は、送信元（１又は２以上の組）別に複数設定することも可能であり、送信元毎に対応する画面でメール自動動作の設定を行うことができる。
【００２９】
以上のように、本例の業務用などの無線端末装置３では、予め定めておいたメールアドレスからのメールを受信すると、受信メールの本文、内容等が所定の文面であるか否かを確認し、これらが一致した場合には、予め定められていた動作を行う。
具体例として、メールの送受信機能を有する無線端末装置３において、任意の送信元メールアドレス、任意のタイトル文、任意の本文、及びメール受信後の動作“未読メール返信”を設定すると、設定された送信元メールアドレス、タイトル文、及び本文が一致するメールを受信したことに応じて、当該無線端末装置３に保存されている未読メールを送信元メールアドレスへ自動で返信する。
【００３０】
また、メールの送受信機能とダイヤルロック機能を有する無線端末装置３において、任意の送信元メールアドレス、任意のタイトル文、任意の本文、及びメール受信後の動作“ダイヤルロック”を設定すると、設定された送信元メールアドレス、タイトル文、及び本文が一致するメールを受信したことに応じて、当該無線端末装置３に自動でダイヤルロック機能を設定する。
また、メールの送受信機能を有する無線端末装置３において、任意の送信元メールアドレス、任意のタイトル文、任意の本文、及びメール受信後の動作“パワーオフ”を設定すると、設定された送信元メールアドレス、タイトル文、及び本文が一致するメールを受信したことに応じて、当該無線端末装置３の電源を自動でオフにする。
【００３１】
また、本例の無線端末装置３では、例えば、伝言メモの内容を指定した電話番号へ送信して再生することができるような構成とすることも可能である。
また、本例の無線端末装置３では、送信元メールアドレス、タイトル文、本文、各種の動作（本例では、未読メール返信、ダイヤルロック、パワーオフ）の設定を行うための操作部（入力部）や、これらの内容を画面に表示させる表示部を有している。
【００３２】
このように、本例の無線端末装置３では、受信したメールに基づいて、未読メールの返信や、ダイヤルロック機能の設定や、電源のオフといった動作を自動で行うことができる。
従って、本例では、無線端末装置３をどこかに置き忘れしたような場合においても、他の無線端末装置２やＰＣ１などで、置き忘れした無線端末装置３の未読受信メールを確認することができる。
また、本例では、無線端末装置３をどこかに置き忘れしたような場合においても、遠隔地からダイヤルロック機能を発動させることができ、悪用されることを防ぐことができる。
また、本例では、無線端末装置３をどこかに置き忘れしたような場合においても、遠隔地から電源をオフにすることができ、無駄な電力を消費しないようにすることができる。
【００３３】
ここで、本例の無線端末装置３では、動作設定“未読メール返信”が設定されている場合に、条件に適合するメールを受信したことに応じて、当該受信メールの送信元に対して未読メールを送信（返信）する動作例を示したが、他の例として、動作設定として、“予め設定されたメールアドレスに宛てて未読メールを送信する動作”が設定されている場合に、条件に適合するメールを受信したことに応じて、予め設定されたメールアドレスに宛てて未読メールを送信する、ようなことも可能である。
【００３４】
なお、本例の無線端末装置３では、無線によるメール通信手段の機能や、メール自動動作に関する設定内容（条件と動作）をメモリに記憶する設定記憶手段の機能や、受信メールとメール自動動作に関する設定内容の条件との適合を判定する判定手段の機能や、受信メールが適合した条件に対応した動作を実行する動作実行手段の機能を有している。
【００３５】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【符号の説明】
【００３６】
１・・パーソナルコンピュータ（ＰＣ）、  ２、３・・無線端末装置（無線通信端末装置）、
【図１】
2011077962.tif 000003
【図２】
2011077962.tif 000004
【図３】
2011077962.tif 000005
【図４】
2011077962.tif 000006